(57)【要約】【課題】流量の十分に広い領域に亘って幅の広い薄膜状の吐水を維持することができる吐水装置を提供する。【解決手段】本発明は、流入口から流入した湯又は水を、幅広の薄膜状にして吐水口から吐水させる吐水装置（１）であって、流入口から流入した湯又は水を、吐水口へ導く通水路（２ａ）が形成された吐水装置本体（２）と、通水路に連通した、細長いスリット状の吐水口（６）が形成された吐水部（４）と、通水路を横断するように設けられ、通水路を流れてきた湯又は水を、吐水口の長手方向ほぼ中央に集めるように形成された絞り手段（１４）と、を有することを特徴としている。【選択図】図２
2007262739.tif 000002
【特許請求の範囲】
【請求項１】
流入口から流入した湯又は水を、幅広の薄膜状にして吐水口から吐水させる吐水装置であって、
上記流入口から流入した湯又は水を、上記吐水口へ導く通水路が形成された吐水装置本体と、
上記通水路に連通した、細長いスリット状の吐水口が形成された吐水部と、
上記通水路を横断するように設けられ、上記通水路を流れてきた湯又は水を、上記吐水口の長手方向ほぼ中央に集めるように形成された絞り手段と、
を有することを特徴とする吐水装置。
【請求項２】
上記絞り手段は、ほぼ中央に切欠部が形成された隔壁部によって構成されている請求項１記載の吐水装置。
【請求項３】
上記隔壁部は、その上端と上記通水路の天井面との間に隙間が空くように形成されている請求項２記載の吐水装置。
【請求項４】
上記切欠部は、その底辺が上記通水路の底面と面一になるように形成されている請求項２又は３記載の吐水装置。
【請求項５】
上記切欠部の流路断面積は、上記通水路の流路断面積よりも小さく、上記吐水口の断面積よりも大きい請求項２乃至４の何れか１項に記載の吐水装置。
【請求項６】
上記流入口が、上記吐水口の長手方向に間隔を空けて複数形成されている請求項１乃至５の何れか１項に記載の吐水装置。
【請求項７】
上記流入口は３つ形成されており、そのうちの中央の流入口からの流入量が、他の流入口からの流入量よりも少なくなるように構成されている請求項６記載の吐水装置。
【請求項８】
上記吐水口は、両端部において幅が広くなるように形成されている請求項１乃至７の何れか１項に記載の吐水装置。
【請求項９】
上記隔壁部は、上記吐水部に設けられており、上記吐水部と共に着脱可能である請求項２乃至８の何れか１項に記載の吐水装置。
【発明の詳細な説明】
【技術分野】
【０００１】
本発明は、吐水装置に関し、特に、湯又は水を、幅広の薄膜状にして吐水口から吐水させる吐水装置に関する。
【背景技術】
【０００２】
実公昭６２−３５７１８号公報（特許文献１）には、水栓の吐水金具が記載されている。この吐水金具では、湯水の吐出口の横幅を広く形成して湯水が浴槽へ滝のように扁平に吐出するようにしている。このような、薄膜状の扁平な吐水は、吐出する湯水の流量が豊富に感じられること、吐出された湯水の水跳ねを生じにくいこと、視覚的に優れていること等から、特に、高級な吐水装置において採用されている。
【０００３】
【特許文献１】実公昭６２−３５７１８号公報
【発明の開示】
【発明が解決しようとする課題】
【０００４】
しかしながら、吐水口からの流量の大小にかかわらず、このような美しい薄膜状の吐水を維持することは困難であるという問題がある。例えば、吐水口からの流量が少ない場合には、湯水が幅広の吐水口から吐出されたとしても、湯水の流れは、図１４に示すように吐出後すぐにすぼまってしまい、幅の広い薄膜状の流れを長い距離に亘って維持することができない。逆に、吐水口からの流量が多い場合には、吐出された流れの乱れが大きくなるため、流れの厚さが厚くなると共に、水流の透明感がなくなるため、美観が失われてしまう。
【０００５】
実公昭６２−３５７１８号公報記載の水栓金具では、吐出口の上流に水流室及び堰部を設け、この堰部を介して吐水を行うことによって幅広の扁平な吐水を得ようとしている。しかしながら、実公昭６２−３５７１８号公報記載の水栓金具においても、薄膜状の吐水を維持することができる流量の領域は十分なものではない。
【０００６】
従って、本発明は、流量の十分に広い領域に亘って幅の広い薄膜状の吐水を維持することができる吐水装置を提供することを目的としている。
【課題を解決するための手段】
【０００７】
上述した課題を解決するために、本発明は、流入口から流入した湯又は水を、幅広の薄膜状にして吐水口から吐水させる吐水装置であって、流入口から流入した湯又は水を、吐水口へ導く通水路が形成された吐水装置本体と、通水路に連通した、細長いスリット状の吐水口が形成された吐水部と、通水路を横断するように設けられ、通水路を流れてきた湯又は水を、吐水口の長手方向ほぼ中央に集めるように形成された絞り手段と、を有することを特徴としている。
【０００８】
このように構成された本発明においては、流入口から流入した湯又は水は、吐水装置本体の通水路を通って吐水部の方へ流れる。絞り手段は、通水路を横断するように設けられており、通水路を流れてきた湯又は水を吐水口の長手方向ほぼ中央に集める。絞り手段によって中央に集められた湯又は水は、再び吐水口の長手方向に広がりながら吐水口から吐出される。
【０００９】
このように構成された本発明によれば、絞り手段を通過した湯又は水は、吐水口の長手方向に広がる速度成分をもつので、吐水のすぼまりが抑制され、これにより、流量の十分に広い領域に亘って幅の広い薄膜状の吐水を維持することができる。
【００１０】
本発明において、好ましくは、絞り手段は、ほぼ中央に切欠部が形成された隔壁部によって構成されている。
このように構成された本発明においては、通水路を流れてきた湯又は水は隔壁部に衝突して、そのほぼ中央に設けられた切欠部に流入する。切欠部に集められた湯又は水は、再び吐水口の長手方向に広がって吐水口から吐出される。
このように構成された本発明によれば、幅の広い通水路に、簡単な構造で絞り手段を形成することができる。
【００１１】
本発明において、好ましくは、隔壁部は、その上端と通水路の天井面との間に隙間が空くように形成されている。
このように構成された本発明においては、通水路を流れてきた湯又は水は、切欠部を通過すると共に、その一部は隔壁部の上を乗り越えて吐水口へ流れる。
【００１２】
このように構成された本発明によれば、湯又は水を切欠部によって中央に集めると同時に、隔壁部の上からも湯又は水を通過させることができるので、隔壁部による流路抵抗を低く抑えながら、湯又は水の流れを中央に集めることができる。
【００１３】
本発明において、好ましくは、切欠部は、その底辺が通水路の底面と面一になるように形成されている。
このように構成された本発明によれば、湯又は水は、切欠部においては、隔壁部を乗り越えることなく通過することができるので、隔壁部による流路抵抗を低く抑えながら、湯又は水の流れを中央に集めることができる。
【００１４】
本発明において、好ましくは、切欠部の流路断面積は、通水路の流路断面積よりも小さく、吐水口の断面積よりも大きい。
このように構成された本発明によれば、隔壁部によって湯又は水の流れを絞ると同時に、隔壁部と吐水口との間の通水路を満水にすることができるので、安定した吐出流を形成することができる。
【００１５】
本発明において、好ましくは、流入口が、吐水口の長手方向に間隔を空けて複数形成されている。
このように構成された本発明によれば、吐水口が非常に細長い場合であっても、吐水口の長手方向に均一な吐水を得ることができる。
【００１６】
本発明において、好ましくは、流入口は３つ形成されており、そのうちの中央の流入口からの流入量が、他の流入口からの流入量よりも少なくなるように構成されている。
このように構成された本発明によれば、吐水口が非常に細長い場合にも吐水口の長手方向に均一な吐水を得ることができると同時に、吐水のすぼまりを抑制することができる。
【００１７】
本発明において、好ましくは、吐水口は、両端部において幅が広くなるように形成されている。
このように構成された本発明によれば、幅広の吐水の両端部における水勢が強くなるため、吐水のすぼまりをさらに抑制することができる。
【００１８】
本発明において、好ましくは、隔壁部は、吐水部に設けられており、吐水部と共に着脱可能である。
このように構成された本発明の吐水装置によれば、吐水部を隔壁部と共に取り外すことができるので、メンテナンスを容易に行うことができる。また、隔壁部を容易に形成することができる。
【発明の効果】
【００１９】
本発明の吐水装置によれば、流量の十分に広い領域に亘って幅の広い薄膜状の吐水を維持することができる。
【発明を実施するための最良の形態】
【００２０】
次に、図面を参照して、本発明の実施形態を説明する。
まず、図１乃至図６を参照して、本発明の第１実施形態による吐水装置を説明する。図１は本発明の第１実施形態による吐水装置の斜視図であり、図２は側面断面図である。また、図３は、図２のIII−IIIに沿って切断された正面断面図である。さらに、図４は、本実施形態の吐水装置に取り付けられている吐水部の斜視図であり、図５はその底面図である。また、図６は、本実施形態の吐水装置の分解斜視図である。
【００２１】
図１乃至図３に示すように、本発明の第１実施形態による吐水装置１は、内部に通水路２ａが形成された吐水装置本体２と、この吐水装置本体２に取り付けられ、吐水口６が形成された吐水部４と、を有する。
【００２２】
吐水装置本体２は、鉛直の壁面Ｗに当接されるベース部２ｂと、このベース部２ｂから水平方向に延びる水平部２ｃとを有し、この水平部２ｃの内部には水平方向に延びる通水路２ａが形成されている。また、水平部２ｃの基端部には、接続金具８を受け入れるための概ね円筒形の接続金具受け入れ部２ｄが形成されており、この接続金具受け入れ部２ｄの最奥部が吐水装置本体２の流入口２ｅに連通している。また、吐水装置本体２の内部には、流入口２ｅに続いて、流入口２ｅよりも流路断面積が大きく形成された水溜部２ｆが形成されている。
【００２３】
一方、吐水装置本体２は、接続金具８を接続金具受け入れ部２ｄに受け入れた状態で、止めねじ１０を締め付けることによって、接続金具８に固定される。さらに、接続金具８と接続金具受け入れ部２ｄとの間には２本のＯリング８ａが配置され、それらの間の水密性が確保されている。
【００２４】
また、水平部２ｃの先端部には、通水路２ａと連通した概ね長方形の開口部２ｇが形成されている。この開口部２ｇは、吐水部４を受け入れ、吐水部４が４本のビス１２で取り付けられるように構成されている。
【００２５】
吐水部４は、図４及び図５に示すように、吐水装置本体２の開口部２ｇの中に水平方向に向けて取り付けられる長方形のプレート部４ａと、このプレート部４ａに対して直角に立ち上がるように形成された、細長い長方形断面の筒状部４ｂと、を有する。プレート部４ａには４つの穴４ｃが形成され、これらの穴４ｃに夫々ビス１２を通して吐水装置本体２に螺合させることにより、吐水部４が吐水装置本体２に取り付けられる。
【００２６】
また、筒状部４ｂの下端には底面が形成されており、この底面に細長いスリット状の吐水口６が形成されている。図５に示すように、吐水口６は、吐水装置本体２の幅方向に延びる、一定の幅の直線部６ａと、この直線部６ａの両端に、直線部６ａと連続して形成されたほぼ円形の拡大部６ｂと、を有する。本実施形態においては、直線部６ａの長さは約１００ｍｍ、幅は約２ｍｍであり、拡大部６ｂは、直径約４ｍｍの円形に構成されている。
【００２７】
一方、図３及び図４に示すように、筒状部４ｂの流入口２ｅ側の壁面は、絞り手段として機能する隔壁部１４を構成している。この隔壁部１４は、吐水口６の直線部６ａと平行に形成されており、その中央には下方がすぼまった等脚台形状の切欠部１４ａが形成されている。通水路２ａを流れてきた湯水は、隔壁部１４の切欠部１４ａに流入するように、中央に集められる。本実施形態においては、隔壁部１４の幅は約１０４ｍｍ、切欠部１４ａの底辺の長さは約３０ｍｍ、上辺の長さは約４５ｍｍ、高さは約６．５ｍｍである。また、隔壁部１４の上端と、通水路２ａの天井面との間には僅かな隙間が空いている。従って、本実施形態においては、切欠部１４ａの長さは、吐水口６の長さの約１／３である。好ましくは、切欠部の長さは、吐水口の長さの約２５〜約５０％、更に好ましくは約３０〜約４５％とする。
【００２８】
さらに、図２及び図６に示すように、筒状部４ｂの中には、吐水口６及び切欠部１４ａを覆うように、整流手段である整流網１６が配置されている。整流網１６は、その断面が閉曲線を描くように屈曲されて筒状部４ｂの中に嵌め込まれている。即ち、整流網１６は、下端が丸くなった縦長の長方形断面を形成するように屈曲された状態で筒状部４ｂの中に配置されている。通水路２ａを流れてきた湯水は、まず、整流網１６の切欠部１４ａを覆っている部分、又は長方形断面を形成する整流網１６の上辺の部分を通って整流網１６の内部に流入する。次いで、湯水は、吐水口６を覆っている整流網１６の下端部を通って、吐水口６から吐水される。このため、湯水は、１枚の整流網１６を２回通過して吐水口６から吐水されることになる。即ち、整流網１６の、湯水が最初に通過する部分は第１網部として作用し、湯水が２回目に通過する部分は第２網部として作用する。
【００２９】
また、整流網１６は、所定の形状に屈曲させた状態で筒状部４ｂの中に嵌め込むことにより、吐水部４に取り付けられる。この構成により、吐水部４を取り外すと、これに一体に形成された隔壁部１４及び整流網１６を共に取り外すことができる。これにより、整流網１６の清掃、メンテナンスを容易に行うことができる。
【００３０】
次に、本発明の第１実施形態による吐水装置１の作用を説明する。
接続金具８は、壁面Ｗに設けられた給水管（図示せず）に螺合接続され、吐水装置本体２は、止めねじ１０により接続金具８に結合されて、壁面Ｗに固定される。給水管から供給された湯水は、接続金具８、流入口２ｅを介して水溜部２ｆに流入する。水溜部２ｆの流路断面積は、流入口２ｅの流路断面積よりも十分に大きく構成されているため、流入口２ｅから流入した湯水の流速は、水溜部２ｆ内で一旦低下する。これにより、流入口２ｅから流入した湯水の流れの乱れが低減される。
【００３１】
水溜部２ｆに流入した湯水は、通水路２ａを通って隔壁部１４に到達する。隔壁部１４に到達した湯水は、隔壁部１４の中央に形成された切欠部１４ａに向かって集められ、主に切欠部１４ａを通って筒状部４ｂ内に流入する。この際、湯水の多くは、整流網１６の切欠部１４ａを覆っている部分を通過する。また、湯水の一部は、隔壁部１４の上端と通水路２ａの天井面の間を通り、整流網１６の上端面を通過して筒状部４ｂ内に流入する。筒状部４ｂ内に流入した湯水は、再び整流網１６の下端部を通過して、吐水口６から下方に向けて吐出される。このように、湯水は、整流網１６の第１網部と、この第１網部から間隔を空けた第２網部を通ることによって十分に整流され、吐水口６から吐出される。
【００３２】
通水路２ａ内を隔壁部１４に向かって流れてきた湯水は、隔壁部１４によって吐水装置本体２の幅方向に一旦絞られた後、切欠部１４ａの側縁を回り込むように流れる。このため、切欠部１４ａを通過した湯水の一部は、吐水装置本体２の幅方向外方に向かう速度成分をもつようになる。さらに、切欠部１４ａは、下方がすぼまった台形状に形成されているため、切欠部１４ａを通過した湯水の一部は、図３に矢印Ｖで示す、斜め下方、外方に向かう速度成分を得る。これにより、湯水の流量が少ない場合における湯水の流れ幅のすぼまりが抑制される。
【００３３】
また、吐水口６の両端部には、幅が広くなった拡大部６ｂが形成されているので、この部分の流路抵抗は直線部６ａの流路抵抗よりも小さく、吐水の両端部の水勢が強くなる。このため、吐水口６から吐出された湯水の流れは、水勢の強い両端部に引っ張られ、湯水の流量が少ない場合における湯水の流れ幅のすぼまりが抑制される。また、吐水口６の両端部の流路抵抗は、中間部の流路抵抗よりも小さいため、筒状部４ｂ内に流入した湯水には、中央から両端に向かう速度成分が生成される。この外側に向かう速度成分によっても、流れ幅のすぼまりが抑制される。
【００３４】
本実施形態の吐水装置１では、１５Ｌ／ｍｉｎの少流量において、吐水口６の下方約５００ｍｍ以上に亘って幅広の流れが維持された。また、１５Ｌ／ｍｉｎ以上の流量においては、さらに長い距離に亘って幅広の流れを維持することができた。さらに、４０Ｌ／ｍｉｎの大流量においても、吐水が大きく広がることなく、滝状の美しい流れが維持された。
【００３５】
本発明の第１実施形態の吐水装置によれば、隔壁部の切欠部を通過した湯水は吐水口の長手方向に広がる速度成分をもつので、吐水のすぼまりが抑制され、これにより、流量の十分に広い領域に亘って幅の広い薄膜状の吐水を維持することができる。
【００３６】
また、本実施形態の吐水装置によれば、隔壁部の上端と通水路の天井面との間に隙間が空いているので、湯水を切欠部によって中央に集めると同時に、隔壁部の上からも湯水が吐水口に流れるので、隔壁部による流路抵抗を低く抑えながら、湯水の流れを中央に集めることができる。
【００３７】
さらに、本実施形態の吐水装置によれば、切欠部の底辺が通水路の底面と面一に形成されているので、隔壁部による流路抵抗を低く抑えながら、湯水の流れを中央に集めることができる。
【００３８】
また、本実施形態の吐水装置によれば、切欠部の流路断面積は、通水路の流路断面積よりも小さく、吐水口の断面積よりも大きく形成されているので、隔壁部によって湯水の流れを中央に集めると同時に、隔壁部と吐水口との間の通水路が満水になり、安定した吐出流を形成することができる。
【００３９】
さらに、本実施形態の吐水装置によれば、吐水口の両端部の幅が広く形成されているので、幅広の吐水の両端部における水勢が強くなり、吐水のすぼまりをさらに抑制することができる。
【００４０】
また、本実施形態の吐水装置によれば、隔壁部が吐水部に設けられており、吐水部を隔壁部と共に取り外すことができるので、メンテナンスを容易に行うことができると共に、隔壁部を容易に形成することができる。
【００４１】
次に、図７乃至図１０を参照して、本発明の第２実施形態による吐水装置を説明する。
図７は、本実施形態による吐水装置を縁に取り付けた浴槽全体を示す斜視図である。図８は、本実施形態による吐水装置の吐水装置本体を取り出して示した斜視図であり、吐水装置本体の上面部を一部破断して示している。図９は吐水装置本体の側面断面図であり、図１０は吐水装置本体の正面半断面図である。
【００４２】
図７に示すように、本発明の第２実施形態による吐水装置１０１は、浴槽１００の縁部に設けられ、適温に調整された湯を約３００ｍｍ幅の滝状にして、浴槽１００の中に吐出するように構成されている。
【００４３】
図８乃至図１０は、吐水装置１０１のカバーを取り外した状態を示したものである。図８乃至図１０に示すように、本発明の第２実施形態による吐水装置１０１は、内部に通水路１０２ａが形成された吐水装置本体１０２と、この吐水装置本体１０２に取り付けられ、吐水口１０６が形成された吐水部１０４と、を有する。吐水装置本体１０２は、概ね薄い直方体状の形状を有し、その底面には、３本の給湯管１０８を受け入れるための概ね円筒形の連結部１０２ｂが３つ形成されており、これら各連結部１０２ｂの基端が流入口１０２ｃを構成している。これらの流入口１０２ｃは、吐水口１０６の長手方向に等間隔に並んで配置されている。
【００４４】
本実施形態においては、吐水装置本体１０２に接続されている３本の給湯管１０８のうちの中央の給湯管に流量制限手段であるオリフィス（図示せず）が配置されている。このため、中央の給湯管１０８からの湯水の流入量が両側の給湯管１０８からの流入量よりも少なくなる。また、本実施形態においては、各流入口１０２ｃの直径は約１３ｍｍであり、通水路１０２ａは幅約３４０ｍｍ、高さ約１０ｍｍの流路断面を有する。このように、吐水装置本体１０２内部の通水路１０２ａは、流入口１０２ｃよりも流路断面積が大きく、水溜部として機能する。
【００４５】
また、吐水装置本体１０２の前端部には、２本の細長いバーを積み重ねることによって構成された吐水部１０４が取り付けられており、これらのバーの間に吐水口１０６が形成されている。本実施形態においては、吐水口１０６の長手方向の長さは約３００ｍｍ、幅は約１２ｍｍであり、水平方向に向けて湯水を吐出するように向けられている。
【００４６】
さらに、吐水装置本体１０２の内部には、通水路１０２ａを横断するように配置された絞り手段である隔壁部１１４が設けられている。この隔壁部１１４は、吐水口１０６と平行に向き合うように形成されており、その中央には下方がすぼまった等脚台形状の切欠部１１４ａが形成されている。通水路１０２ａを流れてきた湯水は、隔壁部１１４の切欠部１１４ａに流入するように、中央に集められる。本実施形態においては、隔壁部１１４の幅は約３４０ｍｍ、切欠部１１４ａの底辺の長さは約２２３ｍｍ、上辺の長さは約２３０ｍｍ、高さは約３．５ｍｍである。また、隔壁部１１４の上端と、通水路１０２ａの天井面との間は殆ど隙間がなく構成されている。従って、本実施形態においては、切欠部１１４ａの長さは、吐水口１０６の長さの約２／３である。
【００４７】
次に、本発明の第２実施形態による吐水装置１０１の作用を説明する。
鉛直方向に向けられた３本の給湯管１０８から供給された湯水は、給湯管１０８、流入口１０２ｃを介して通水路１０２ａに流入する。通水路１０２ａの流路断面積は、流入口１０２ｃの流路断面積よりも十分に大きく構成されているため、流入口１０２ｃから流入した湯水の流速は、通水路１０２ａ内で一旦低下する。これにより、流入口１０２ｃから流入した湯水の流れの乱れが低減される。
【００４８】
通水路１０２ａに流入した湯水は、隔壁部１１４に到達し、隔壁部１１４の中央に形成された切欠部１１４ａに向かって集められ、切欠部１１４ａを通って吐水口１０６に向かって流れる。通水路１０２ａ内を隔壁部１１４に向かって流れてきた湯水は、隔壁部１１４によって吐水装置本体１０２の幅方向に一旦絞られた後、切欠部１１４ａの側縁を回り込むように流れる。このため、切欠部１１４ａを通過した湯水の一部は、吐水装置本体１０２の幅方向外方に向かう速度成分をもつようになる。さらに、切欠部１１４ａは、下方がすぼまった台形状に形成されているため、切欠部１１４ａを通過した湯水の一部は、斜め下方、外方に向かう速度成分を得る。これにより、湯水の流量が少ない場合における湯水の流れ幅のすぼまりが抑制される。
【００４９】
また、３本のうち、中央の給湯管１０８から流入する流量が少なく構成されているため、吐水口１０６からの吐水の両端部における水勢が中央部よりも若干強くなる。このため、吐水口１０６から吐出された湯水の流れは、水勢の強い両端部に引っ張られ、吐水口１０６の長手方向に均一な吐水が得られると共に、湯水の流量が少ない場合における湯水の流れ幅のすぼまりが抑制される。
【００５０】
本発明の第２実施形態の吐水装置によれば、流入口が、吐水口の長手方向に３つ並べて形成されているので、非常に細長い吐水口から、長手方向に均一な吐水を得ることができる。
【００５１】
また、本実施形態の吐水装置によれば、３つの流入口のうち中央の流入口には流量制限手段を介して湯が供給されるので、長手方向に均一な吐水を得ることができると同時に、吐水のすぼまりを抑制することができる。
【００５２】
次に、図１１乃至図１３を参照して、本発明の第３実施形態による吐水装置を説明する。
図１１は、本実施形態による洗面自動水栓用の吐水装置を取り付けた洗面器全体を示す斜視図である。図１２は、洗面器に取り付けられている本実施形態による吐水装置の部分を拡大して示した側面断面図である。図１３は、吐水装置本体を図１２のXIII−XIII線に沿って切断した平面断面図である。
【００５３】
図１１に示すように、本発明の第３実施形態による吐水装置２０１は、洗面器２００の縁部に設けられ、適温に調整された湯を約１００ｍｍ幅の滝状にして、洗面器２００の中に吐出するように構成されている。
【００５４】
図１２は、洗面器２００の吐水装置２０１の部分を拡大して示した側面断面図である。図１２に示すように、本発明の第３実施形態による吐水装置２０１は、内部に通水路２０２ａが形成された吐水装置本体２０２と、この吐水装置本体２０２に取り付けられ、吐水口２０６が形成された吐水部２０４と、を有する。
【００５５】
また、吐水装置本体２０２は、洗面器２００に取り付けられた支持部材２０９によって支持されている。さらに、吐水装置本体２０２の前部上方には、手指検出センサ２１０が配置されている。この手指検出センサ２１０が、手指を検知すると、電磁弁（図示せず）が開放され、吐水口２０６から所定時間湯水が吐出されるように構成されている。また、吐水装置本体２０２、手指検出センサ２１０等は、カバー２１２ａ、２１２ｂによって覆われており、吐水装置２０１の意匠性を高めると共に手指検出センサ２１０等の水濡れを防止している。さらに、吐水部２０４の先端は、カバー２１２ｂに形成された開口部から水平方向に突出されており、吐水口２０６から水平方向に吐水されるようになっている。
【００５６】
吐水装置本体２０２は、側面から見て逆Ｌ字形の形状を有し、その下端には、給水管２０８を受け入れるための概ね円筒形の連結部２０２ｂが形成されている。また、この連結部２０２ｂの基端は流入口２０２ｃを構成している。また、本実施形態においては、流入口２０２ｃの直径は約７ｍｍである。流入口２０２ｃに続く通水路２０２ａは、逆二等辺三角形状に幅が広くなり、その上端２０２ｄにおいては幅約７０ｍｍになっている。
【００５７】
図１３に示すように、通水路２０２ａは、その水平部においてはさらにその幅が広がる。さらに、通水路２０２ａの水平部は、前方に向かって幅が狭まり、その前端部には、通水路２０２ａを横断するように、絞り手段である隔壁部２１４が形成されている。本実施形態においては、通水路２０２ａの水平部における最大の幅は約９０ｍｍであり、通水路２０２ａの前端部における幅は約７４ｍｍである。また、水平部における通水路２０２ａの高さは約７ｍｍである。このように、吐水装置本体２０２の水平部における通水路２０２ａは、流入口２０２ｃよりも流路断面積が大きく、水溜部として機能する。
【００５８】
また、隔壁部２１４の中央には、下方がすぼまった台形状の切欠部２１４ａが形成されている。本実施形態においては、切欠部２１４ａの上辺の長さは約３０ｍｍであり、下辺の長さは約４０ｍｍであり、高さは約７ｍｍである。従って、本実施形態においては、切欠部２１４ａの長さは、吐水口２０６の長さの約１／３である。
【００５９】
吐水部２０４は、吐水装置本体２０２の水平部の前端に、隔壁部２１４と平行に取り付けられている。吐水部２０４は、概ね長方形状であり、その長手方向に細長いスリット状の吐水口２０６が形成されている。本実施形態においては、吐水口２０６は、長さ約１００ｍｍ、幅約１．５ｍｍに形成されている。
【００６０】
次に、本発明の第３実施形態による吐水装置２０１の作用を説明する。
まず、手指検出センサ２１０が、手指を検知すると、電磁弁（図示せず）が開放され、給水管２０８から湯水が供給される。鉛直方向に向けられた給水管２０８から供給された湯水は、給水管２０８、流入口２０２ｃを介して通水路２０２ａを鉛直方向に上った後、吐水装置本体２０２の水平部分に流入する。水平部分における通水路２０２ａの流路断面積は、流入口２０２ｃの流路断面積よりも十分に大きく構成されているため、流入口２０２ｃから流入した湯水の流速は、通水路２０２ａ内で一旦低下する。これにより、流入口２０２ｃから流入した湯水の流れの乱れが低減される。
【００６１】
通水路２０２ａを流れた湯水は、隔壁部２１４に到達し、隔壁部２１４の中央に形成された切欠部２１４ａに向かって集められ、切欠部２１４ａを通って吐水口２０６に向かって流れる。通水路２０２ａ内を隔壁部２１４に向かって流れてきた湯水は、隔壁部２１４によって吐水装置本体２０２の幅方向に一旦絞られた後、切欠部２１４ａの側縁を回り込むように流れる。このため、切欠部２１４ａを通過した湯水の一部は、吐水装置本体２０２の幅方向外方に向かう速度成分をもつようになる。さらに、切欠部２１４ａは、下方がすぼまった台形状に形成されているため、切欠部２１４ａを通過した湯水の一部は、斜め下方、外方に向かう速度成分を得る。これにより、湯水の流量が少ない場合における湯水の流れ幅のすぼまりが抑制される。
【００６２】
以上、本発明の好ましい実施形態を説明したが、上述した実施形態に種々の変更を加えることができる。
【図面の簡単な説明】
【００６３】
【図１】本発明の第１実施形態による吐水装置の斜視図である。
【図２】本発明の第１実施形態による吐水装置の側面断面図である。
【図３】図２のIII−IIIに沿って切断された正面断面図である。
【図４】吐水装置に取り付けられている吐水部の斜視図である。
【図５】吐水装置に取り付けられている吐水部の底面図である。
【図６】本発明の第１実施形態による吐水装置の分解斜視図である。
【図７】本発明の第２実施形態による吐水装置を縁に取り付けた浴槽全体を示す斜視図である。
【図８】本発明の第２実施形態による吐水装置の吐水装置本体を取り出して示した斜視図であり、吐水装置本体の上面部を一部破断して示している。
【図９】吐水装置本体の側面断面図である。
【図１０】吐水装置本体の正面半断面図である。
【図１１】本発明の第３実施形態による洗面自動水栓用の吐水装置を取り付けた洗面器全体を示す斜視図である。
【図１２】洗面器に取り付けられている本発明の第３実施形態による吐水装置の部分を拡大して示した側面断面図である。
【図１３】吐水装置本体を図１２のXIII−XIII線に沿って切断した平面断面図である。
【図１４】従来の吐水装置の吐水状態を示す図である。
【符号の説明】
【００６４】
１        本発明の第１実施形態による吐水装置
２        吐水装置本体
２ａ      通水路
２ｂ      ベース部
２ｃ      水平部
２ｄ      接続金具受け入れ部
２ｅ      流入口
２ｆ      水溜部
２ｇ      開口部
４        吐水部
４ａ      プレート部
４ｂ      筒状部
４ｃ      穴
６        吐水口
６ａ      直線部
６ｂ      拡大部
８        接続金具
８ａ      Ｏリング
１０      止めねじ
１２      ビス
１４      隔壁部
１４ａ    切欠部
１６      整流網
１００    浴槽
１０１    吐水装置
１０２    吐水装置本体
１０２ａ  通水路
１０２ｂ  連結部
１０２ｃ  流入口
１０４    吐水部
１０６    吐水口
１０８    給湯管
１１４    隔壁部
１１４ａ  切欠部
２００    洗面器
２０１    本発明の第３実施形態による吐水装置
２０２    吐水装置本体
２０２ａ  通水路
２０２ｂ  連結部
２０２ｃ  流入口
２０４    吐水部
２０６    吐水口
２０８    給水管
２１０    手指検出センサ
２１２ａ  カバー
２１２ｂ  カバー
【図１】
2007262739.tif 000003
【図２】
2007262739.tif 000004
【図３】
2007262739.tif 000005
【図４】
2007262739.tif 000006
【図５】
2007262739.tif 000007
【図６】
2007262739.tif 000008
【図７】
2007262739.tif 000009
【図８】
2007262739.tif 000010
【図９】
2007262739.tif 000011
【図１０】
2007262739.tif 000012
【図１１】
2007262739.tif 000013
【図１２】
2007262739.tif 000014
【図１３】
2007262739.tif 000015
【図１４】
2007262739.tif 000016